(57)【要約】【課題】浴室内の乾燥の進み具合に応じた乾燥運転の適切な残時間の表示を行い、その後、浴室の乾燥の進み具合に応じた適切な残時間に亘り乾燥運転を実行することが可能な浴室乾燥機を提供する。【解決手段】換気ファン１４ｂと、循環ファンを１４ａ作動させ、機器本体９内に取り込まれた空気を加熱部により加熱する乾燥運転の実行中に、換気ファンを停止するとともに、循環ファンの作動と加熱部による加熱を継続する、湿度検出用循環加熱運転中における、湿度の上昇速度が第１の閾値以下であると判定された場合には、時間表示部４０への、乾燥運転の残時間の表示を開始し、その後、残時間に亘り乾燥運転を実行し、湿度の上昇速度が、第１の閾値より小さい第２の閾値以下であると判定された場合には、上昇速度が第１の閾値以下で第２の閾値より大きい場合に比べて、残時間を短く設定して時間表示部に表示し、短く設定された残時間に亘り乾燥運転を実行する。【選択図】図１
2018080879.tif 000002
【特許請求の範囲】
【請求項１】
浴室に設置された機器本体内に空気を流入させ、機器本体内に流入した空気を屋外に排出させる換気ファンと、
前記機器本体内に空気を流入させ、機器本体内に流入した空気を噴出し口を通して吹き出させる循環ファンと、
前記機器本体内に設けられ前記循環ファンによって機器本体内に取り込まれた空気を加熱する加熱部と、
機器本体内に流入した空気の湿度を検出する湿度検出手段と、
時間表示部と、を備えた浴室乾燥機であって、
前記換気ファンを作動させるとともに、前記循環ファンを作動させて前記循環ファンによって機器本体内に取り込まれた空気を前記加熱部により加熱する乾燥運転の実行中に、
前記換気ファンを停止するとともに、前記循環ファンの作動および前記加熱部による加熱を継続する、湿度検出用循環加熱運転を実行し、
前記湿度検出用循環加熱運転の実行中における、前記湿度検出手段によって検出された湿度の上昇速度が第１の閾値以下であると判定された場合には、前記時間表示部への、乾燥運転の残時間の表示を開始し、その後、前記残時間に亘り前記乾燥運転を実行し、
前記湿度検出用循環加熱運転の実行中における、前記湿度検出手段によって検出された前記湿度の上昇速度が、前記第１の閾値より小さい第２の閾値以下であると判定された場合には、前記湿度の上昇速度が前記第１の閾値以下で前記第２の閾値より大きい場合に比べて、前記残時間を短く設定して前記時間表示部に表示し、前記短く設定された前記残時間に亘り前記乾燥運転を実行するように構成されていること
を特徴とする浴室乾燥機。
【請求項２】
前記湿度検出用循環加熱運転の実行中において、前記湿度検出手段による前記湿度の上昇速度の検出を３回以上行い、前記湿度の上昇速度の値が単調に減少するときには、前記残時間を短く設定して前記時間表示部に表示し、前記短く設定された前記残時間に亘り前記乾燥運転を実行するように構成されていることを特徴とする請求項１記載の浴室乾燥機。
【請求項３】
前記湿度検出用循環加熱運転の実行中における、所定期間の開始時の前記湿度検出手段による検出湿度と、前記所定期間の終了時の前記湿度検出手段による検出湿度との差から、前記湿度の上昇速度を求めるように構成されていることを特徴とする請求項１または２記載の浴室乾燥機。
【発明の詳細な説明】
【技術分野】
【０００１】
本発明は、浴室を乾燥させるために用いられる機器である浴室乾燥機に関する。
【背景技術】
【０００２】
浴室を乾燥させるために用いられる浴室乾燥機には、例えば、特許文献１に開示されているような浴室乾燥機がある。
【０００３】
この特許文献１に開示されている浴室乾燥機は、送風のみでの乾燥運転を中心として浴室内の乾燥を行い、温風による仕上げ乾燥運転を行うことで、エネルギの節約を図るようにした浴室乾燥機、すなわち、省エネルギ性に配慮した浴室乾燥機である。
【０００４】
しかしながら、温風による仕上げ乾燥運転を行う時間が、第１、第２の予備温風乾燥運転を行ったときの湿度検出手段による検出湿度に基づいて決定されるように構成されていることから、浴室内の乾燥の程度に応じた適切な時間が設定されないおそれがある。つまり、予備温風乾燥運転を行うときには換気ファンの駆動によって浴室内に外気が流入するため、浴室内の乾燥の程度を必ずしも正確に反映しない、外気と浴室内の空気とが混合した空気の湿度によって、温風による仕上げ乾燥運転を行う時間が決定されることになるため、温風による仕上げ乾燥運転を行う時間が、浴室内の乾燥の程度に応じた適切な時間に設定されない場合がある。
【０００５】
これに対し、特許文献２に開示されている浴室乾燥機にあっては、換気ファンと循環ファンを作動させ、機器本体内に取り込まれた空気を循環ファンによって機器本体内で循環させることにより循環する空気を加熱部により加熱する乾燥運転の実行中に、換気ファンを停止するとともに、循環ファンの作動および加熱部による加熱を継続する、湿度検出用循環加熱運転を実行し、湿度検出用循環加熱運転の実行中に、湿度検出手段によって検出された湿度の上昇速度が所定の上昇速度以下であると判定したときに、時間表示部への、乾燥運転の残時間の表示を開始し、その後、残時間に亘り上述の乾燥運転を実行するように構成されている。すなわち、特許文献２の浴室乾燥機においては、換気ファンの駆動による浴室内への外気の流入が行われない状態における浴室内の湿度の変化率に基づいて、乾燥運転の残時間の表示を行い、その後、残時間に亘り前記乾燥運転を実行するようにしている。
【０００６】
このように、換気ファンの停止中の、外気の流入のない状態における湿度の上昇速度に基づいて、乾燥運転の残時間の表示を行い、残時間に亘り乾燥運転を行うことにより、特許文献１の場合のように無駄に乾燥運転時間が長くなることを回避することが可能になる。
【先行技術文献】
【特許文献】
【０００７】
【特許文献１】特開２０１３−００５８７３号公報
【特許文献２】特開２０１５−１８８４５８号公報
【発明の概要】
【発明が解決しようとする課題】
【０００８】
しかしながら、特許文献２の浴室乾燥機においては、換気ファンの駆動により浴室内への外気の流入がない状態での浴室内の湿度の上昇速度が所定の上昇速度以下になったと判定したときに、浴室の乾燥の進み具合にかかわらず、乾燥運転の残時間として一定の値を表示し、その後、一定の残時間に亘り乾燥運転を実行するように構成されているため、状況によっては、不必要に長時間の乾燥運転が行われる場合があり、この点において改善の余地があるのが実情である。
【０００９】
本発明は、上記の課題を解決するものであり、浴室内の乾燥の進み具合に応じて乾燥運転の適切な残時間を表示し、その後、浴室の乾燥の進み具合に応じて表示された上記適切な残時間に亘り乾燥運転を実行することで、浴室乾燥を無駄なく適切に行うことが可能な浴室乾燥機を提供することを目的とする。
【課題を解決するための手段】
【００１０】
上記の目的を達成するために、本発明の浴室乾燥機は、
浴室に設置された機器本体内に空気を流入させ、機器本体内に流入した空気を屋外に排出させる換気ファンと、
前記機器本体内に空気を流入させ、機器本体内に流入した空気を噴出し口を通して吹き出させる循環ファンと、
前記機器本体内に設けられ前記循環ファンによって機器本体内に取り込まれた空気を加熱する加熱部と、
機器本体内に流入した空気の湿度を検出する湿度検出手段と、
時間表示部と、を備えた浴室乾燥機であって、
前記換気ファンを作動させるとともに、前記循環ファンを作動させて前記循環ファンによって機器本体内に取り込まれた空気を前記加熱部により加熱する乾燥運転の実行中に、
前記換気ファンを停止するとともに、前記循環ファンの作動および前記加熱部による加熱を継続する、湿度検出用循環加熱運転を実行し、
前記湿度検出用循環加熱運転の実行中における、前記湿度検出手段によって検出された湿度の上昇速度が第１の閾値以下であると判定された場合には、前記時間表示部への、乾燥運転の残時間の表示を開始し、その後、前記残時間に亘り前記乾燥運転を実行し、
前記湿度検出用循環加熱運転の実行中における、前記湿度検出手段によって検出された前記湿度の上昇速度が、前記第１の閾値より小さい第２の閾値以下であると判定された場合には、前記湿度の上昇速度が前記第１の閾値以下で前記第２の閾値より大きい場合に比べて、前記残時間を短く設定して前記時間表示部に表示し、前記短く設定された前記残時間に亘り前記乾燥運転を実行するように構成されていること
を特徴としている。
【００１１】
本発明の浴室乾燥機においては、前記湿度検出用循環加熱運転の実行中において、前記湿度検出手段による前記湿度の上昇速度の検出を３回以上行い、前記湿度の上昇速度の値が単調に減少するときには、前記残時間を短く設定して前記時間表示部に表示し、前記短く設定された前記残時間に亘り前記乾燥運転を実行するように構成されていることが好ましい。
【００１２】
また、前記湿度検出用循環加熱運転の実行中における、所定期間の開始時の前記湿度検出手段による検出湿度と、前記所定期間の終了時の前記湿度検出手段による検出湿度との差から、前記湿度の上昇速度を求めるように構成されていることが好ましい。
【発明の効果】
【００１３】
本発明の浴室乾燥機は、上述のよう構成されており、換気ファンを作動させるとともに、循環ファンを作動させて循環ファンによって機器本体内に取り込まれた空気を加熱部により加熱する乾燥運転の実行中に、換気ファンを停止するとともに、循環ファンの作動および加熱部による加熱を継続する、湿度検出用循環加熱運転を実行し、（ａ）湿度検出用循環加熱運転の実行中における、湿度検出手段によって検出された湿度の上昇速度が第１の閾値以下であると判定された場合には、時間表示部への、乾燥運転の残時間の表示を開始し、その後、残時間に亘り乾燥運転を実行し、（ｂ）湿度検出用循環加熱運転の実行中における、湿度検出手段によって検出された湿度の上昇速度が、第１の閾値より小さい第２の閾値以下であると判定された場合には、湿度の上昇速度が第１の閾値以下で第２の閾値より大きい場合に比べて、残時間を短く設定して時間表示部に表示し、短く設定された残時間に亘り乾燥運転を実行するように構成されているので、浴室内の乾燥の進み具合に応じた乾燥運転の適切な残時間の表示を行い、その後、浴室の乾燥の進み具合に応じた適切な残時間に亘り乾燥運転を実行することが可能な浴室乾燥機を提供することができる。
【００１４】
本発明の浴室乾燥機において、湿度検出用循環加熱運転の実行中において、湿度検出手段による上昇速度の検出を３回以上行い、上昇速度の値が単調に減少するときには、残時間を短く設定して時間表示部に表示し、短く設定された残時間に亘り乾燥運転を実行するようにした場合、浴室内の乾燥の進み具合に応じた乾燥運転の一層適切な残時間の表示を行うことが可能になるとともに、その後、浴室の乾燥の進み具合に応じた一層適切な残時間に亘り乾燥運転を実行することが可能になる。
【００１５】
また、湿度検出用循環加熱運転の実行中における、所定期間の開始時の湿度検出手段による検出湿度と、所定期間の終了時の湿度検出手段による検出湿度との差から、湿度の上昇速度を求めるようにした場合、簡単に湿度の上昇速度を求めることが可能になり、本発明をより実効あらしめることができる。
【図面の簡単な説明】
【００１６】
【図１】本発明の一実施形態にかかる浴室乾燥機の構成を示す縦断面図である。
【図２】本発明の一実施形態にかかる浴室乾燥機の内部の配管を説明する管路図である。
【図３】本発明の一実施形態にかかる浴室乾燥機を浴室に設置した状態の斜視図である。
【図４】本発明の一実施形態にかかる浴室乾燥機の制御部のブロック図である。
【図５】本発明の一実施形態にかかる浴室乾燥機が備える脱衣所用の操作器の正面図である。
【図６】本発明の一実施形態にかかる浴室乾燥機が備える浴室用の操作器の正面図である。
【図７】本発明の一実施形態にかかる浴室乾燥機の乾燥運転の動作を示すフローチャートである。
【発明を実施するための形態】
【００１７】
以下、本発明の実施形態を示して、その特徴とするところをさらに詳しく説明する。
【００１８】
［実施形態］
この実施形態にかかる浴室暖房乾燥機は、図１〜３に示すように、ユニットバスなどの浴室２に設置されるミスト機能付浴室暖房乾燥機（以下、単に「浴室暖房乾燥機Ａ」という）として構成されている。
【００１９】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００２０】
また、この浴室暖房乾燥機Ａを浴室２に設置するにあたっては、例えば、図３に示すように、浴槽７の上方の、浴室２の天井８に設置される。
【００２１】
浴室暖房乾燥機Ａの本体である機器本体（浴室暖房乾燥機本体）９は天井裏に配置されている。具体的には、例えば、吊り金具１０により天井スラブなどに吊り支持し、機器本体（浴室暖房乾燥機本体）９の下面を浴室２の天井８の開口部１１に臨ませている。また、天井８の下面には開口部１１を覆うグリル板１２（図１）が配置されており、グリル板１２が機器本体９の下面側に取り付けられている。
【００２２】
また、図１および図２に示すように、機器本体（浴室暖房乾燥機本体）９内には、熱交換器（温風用熱交換器）（加熱部）１３および送風機１４（１４ａ，１４ｂ）が内装されている。
この温風用熱交換器１３は、内部に温水を通すことで外部を流れる空気、つまり浴室２内に送り込まれる空気と温水とを熱交換して、空気を加熱するように構成されている。この温風用熱交換器１３は機器本体９に配管した暖房用温水管路１５の途中に配置されており、暖房用温水管路１５には給湯暖房機などの熱源機１６（図３）から温水が供給されるように構成されている。
【００２３】
また、図１および図２に示すように、暖房用温水管路１５には温風用熱交換器１３への温水の供給を開閉する熱動弁（暖房用開閉弁）１７が設けられており、暖房用温水管路１５にはこの管路を流れる温水の温度を検出する暖房温水サーミスタ（往き温水温度検出部）ＴＨ２が配設されている。
【００２４】
なお、熱源機１６で加熱された温水は、往き配管５１を経由して浴室暖房乾燥機Ａに備える往き配管接続部５２（図１）から浴室暖房乾燥機Ａに送り込まれ、浴室暖房乾燥機Ａに備える温風用熱交換器１３で放熱した後、浴室暖房乾燥機Ａが備える戻り配管接続部６２（図１）から戻り配管６１を経由して熱源機１６へ戻るように、往き配管５１と、戻り配管６１とが配設されている。
【００２５】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００２６】
さらに、機器本体（浴室暖房乾燥機本体）９の下面側には循環ファン１４ａで送風される空気を浴室２内に吹き出す吹き出し口３が設けられている。この吹き出し口３には可動ルーバー１８を回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００２７】
また、浴室暖房乾燥機Ａは、ミスト浴の機能を具備するためにミスト発生部１９が組み込まれている。ミスト発生部１９のミストノズル４は、グリル板１２の一部に配置されており、ミスト用給水管路２０がミストノズル４に連通している。
【００２８】
図２に示すように、ミストノズル４として、０．５リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水のミストが噴霧される。
２つのミストノズル４（４ａ，４ｂ）から温水のミストを噴霧すると、強のミスト量でミストが噴霧され、２つのミストノズル４ａ，４ｂの一方からから温水のミストを噴霧すると、弱のミスト量で噴霧されるように構成されている。
この実施形態の浴室暖房乾燥機Ａにおいては、ミスト発生部１９が機器本体（浴室暖房乾燥機）９の上に搭載されている。
【００２９】
ミスト用給水管路２０には、水道水、いわゆる上水が供給されるように構成されており、入口側から順にストレーナ２２、給水電磁弁（給水開閉弁）２３が設けられている。上記暖房用温水管路１５には温風用熱交換器１３と並列になるようにミスト加熱用管路２４が設けられており、このミスト加熱用管路２４にはミスト加熱用管路２４を流れる温水の流れを制御する比例弁２５が設けられている。
【００３０】
また、ミスト加熱用管路２４とミスト用給水管路２０との間には液―液熱交換器で構成されるミスト用熱交換器２６が配設されており、ミスト加熱用管路２４を流れる温水により、ミスト用給水管路２０を流れるミスト用の水が加熱されるように構成されている。ミスト用給水管路２０におけるミスト用熱交換器２６とミスト開閉弁２１ａ，２１ｂとの間には、ミスト用給水管路２０を流れる温水の温度を検出するミスト温度サーミスタＴＨ１が配設されている。
【００３１】
また、浴室暖房乾燥機Ａは、図３に示すように、浴室２外の脱衣所に設けた操作器５や浴室２内に設けた操作器３０にてリモコン操作されるように構成されている。
【００３２】
図５に示すように、脱衣所用の操作器５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００３３】
また、図６に示すように、浴室用の操作器３０には、状態表示部４０、ミストサウナスイッチ１３４、ミストスイッチ１４１、温度設定スイッチ１４２、暖房スイッチ１３６、涼風スイッチ１３７、風向スイッチ１３３、ミスト入浴時間計測用のストップウォッチのスタート／ストップスイッチ１４３、リセットスイッチ１４５、停止スイッチ１３９が設けられている。
【００３４】
この実施形態にかかる浴室暖房乾燥機Ａにおいては、グリル板１２の吸い込み口１近傍に、吸気の湿度を検知する湿度検出手段２７（図１、図２）が配設されている。湿度検出手段２７としては、例えば、ＮＴＣサーミスタなどの感温素子で構成された湿度センサを用いることができる。
【００３５】
湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００３６】
また、図４は、浴室暖房乾燥機Ａの制御部Ｂの一例を示す図である。制御部Ｂには、メモリ２８、演算回路２９などが内蔵され、上記操作器５や操作器３０をリモコン操作することで制御部Ｂにて、以下に説明するような制御が行われるように構成されている。
【００３７】
次に、この実施形態にかかる浴室暖房乾燥機Ａの乾燥運転について説明する。
なお、ここでは、自動乾燥運転時における、残り運転時間表示機能を備えた浴室暖房乾燥機Ａの乾燥運転について図７を参照しつつ説明する。
【００３８】
乾燥運転を開始するにあたっては、脱衣所用の操作器５の乾燥スイッチ６（図５）を押し操作する。この操作によって、乾燥［エコ］ランプ３５が点灯し、乾燥運転が開始する。
【００３９】
乾燥運転が開始すると、換気ファン１４ｂが作動するとともに、循環ファン１４ａが作動し、循環ファン１４ａによって機器本体（浴室暖房乾燥機本体）９内に取り込まれた空気が、温風用熱交換器（加熱部）１３により加熱される（図７：ステップ＃００１）。この態様の乾燥運転が通常乾燥運転である。
【００４０】
そして、上述の通常乾燥運転開始後、所定の時間Ｔ１（例えば２５分）が経過したかどうかを判定し、この時間Ｔ１が経過していた場合、以下の、湿度検出用循環加熱運転を実行する（ステップ＃００２）。
【００４１】
そして、所定の時間Ｔ１（例えば２５分）が経過していた場合、換気ファン１４ｂを停止し、湿度検出用循環加熱運転を実行する（ステップ＃００３）
なお、湿度検出用循環加熱運転では、換気ファン１４ｂを停止するとともに、循環ファン１４ａの作動および温風用熱交換器（加熱部）１３による加熱を継続する。
【００４２】
ステップ＃００２において、所定の時間Ｔ１（例えば２５分）が経過していない場合、ステップ＃００１の換気ファン１４ｂを作動させる通常乾燥運転に戻る。
【００４３】
湿度検出用循環加熱運転の実行中に、湿度検出手段２７によって検出された湿度の上昇速度Ｅが第１の閾値Ｘ以下であるかどうかの判定が行われる（ステップ＃００４）。なお、この実施形態では、湿度の上昇速度Ｅは、換気ファン１４ｂの停止中における、所定期間（この実施形態では７分）の開始時の湿度検出手段２７による検出湿度と、前記所定期間の終了時の前記湿度検出手段２７による検出湿度との差（湿度差）から求めるようにしている。
【００４４】
湿度検出手段２７によって検出された湿度の上昇速度Ｅが第１の閾値Ｘ以下である場合、湿度検出手段２７によって検出された湿度の上昇速度Ｅが第２の閾値Ｙ以下であるかどうかの判定が行われる（ステップ＃００５）。ここで、第２の閾値Ｙは、第１の閾値Ｘより小さく設定されている。
【００４５】
ステップ＃００４において、湿度検出手段２７によって検出された湿度の上昇速度Ｅが第１の閾値Ｘ以下でない場合、ステップ＃００１の換気ファンを作動させる通常乾燥運転に戻る。
【００４６】
ステップ＃００５において、湿度検出手段２７によって検出された湿度の上昇速度Ｅが第２の閾値Ｙ以下でない場合、それまでは表示されていなかった、タイマー表示部（時間表示部）３１への、乾燥運転の残時間（例えば３０分）の表示を開始する。その後、時間の経過とともにタイマー表示部（時間表示部）３１に表示した残時間のカウントダウンを行い、タイマー表示部（時間表示部）３１に表示した残時間がゼロになるまで乾燥運転を継続して仕上げ乾燥を行う（ステップ＃００６）。
【００４７】
また、ステップ＃００５においては、湿度検出手段２７によって検出された湿度の上昇速度Ｅが第２の閾値Ｙ以下である場合、ステップ＃００７において、
（ａ）前回湿度検出手段２７により検出された湿度の上昇速度Ｅn-1と、
（ｂ）前々回湿度検出手段２７により検出された湿度の上昇速度Ｅn-2と、
（ｃ）今回湿度検出手段２７によって検出された湿度の上昇速度Ｅ
の複数回（３回）に亘って、湿度検出手段２７によって検出された湿度の上昇速度の値が比較され、Ｅ＜Ｅn-1＜Ｅn-2であるかどうか、つまり、湿度検出手段２７によって検出された湿度の上昇速度の値が単調に減少するか否かについての判定が行われる。
【００４８】
ステップ＃００７において、湿度検出手段２７によって検出された湿度の上昇速度の値が単調に減少しないと判定された場合、それまで表示されていなかった、タイマー表示部（時間表示部）３１への、乾燥運転の残時間（例えば２０分）の表示を開始して、その後、時間の経過とともにタイマー表示部（時間表示部）３１に表示した残時間のカウントダウンを行い、タイマー表示部（時間表示部）３１に表示した残時間がゼロになるまで乾燥運転を継続して仕上げ乾燥を行う（ステップ＃００８）。
【００４９】
また、ステップ＃００７において、湿度検出手段２７によって検出された湿度の上昇速度の値が単調に減少していると判定された場合、それまで表示されていなかった、タイマー表示部（時間表示部）３１への、乾燥運転の残時間（例えば１０分）の表示を開始して、その後、時間の経過とともにタイマー表示部（時間表示部）３１に表示した残時間のカウントダウンを行い、タイマー表示部（時間表示部）３１に表示した残時間がゼロになるまで乾燥運転を継続して仕上乾燥を行う（ステップ＃００９）
【００５０】
以上の動作によって、湿度検出用循環加熱運転の実行中における、湿度検出手段２７によって検出された湿度の上昇速度に応じて、残時間を設定して表示することが可能になるとともに、また、湿度検出手段２７によって検出された湿度の上昇速度が小さいときには、湿度検出手段２７によって検出された湿度の上昇速度が大きいときに比べて、残時間を短く設定して表示することが可能になる。
【００５１】
そして、上述のように構成し、浴室内の乾燥の進み具合に応じた乾燥運転の適切な残時間（例えば、３０分、２０分、あるいは１０分）の表示を行い、その後、浴室の乾燥の進み具合に応じた適切な残時間に亘り乾燥運転を実行することで、効率のよい乾燥を行うことが可能できる。
【００５２】
また、この実施形態の浴室乾燥機では、上述のように、湿度検出用循環加熱運転の実行中において、湿度検出手段２７によって検出された湿度の上昇速度の検出を３回以上行い、湿度検出手段２７によって検出された湿度の上昇速度の値が単調に減少するときには、タイマー表示部（時間表示部）３１に表示される残時間を短く設定して表示し、該残時間に亘って乾燥運転を実行するようにしているので、浴室内の乾燥の進み具合に応じた乾燥運転の適切な残時間の表示を行い、その後、浴室の乾燥の進み具合に応じた一層適切な残時間に亘り乾燥運転を実行することが可能になる。
【００５３】
また、この実施形態では、上述のように、換気ファン１４ｂの停止中における、所定期間（この実施形態では７分）の開始時の湿度検出手段２７による検出湿度と、前記所定期間の終了時の湿度検出手段２７による検出湿度との差から、湿度の上昇速度を求めるように構成している、つまり、湿度検出用循環加熱運転中の換気ファン１４ｂの停止中における、所定期間（例えば７分）の開始時の湿度検出手段２７による検出湿度Ｈ１とこの所定期間（例えば７分）の終了時の湿度検出手段２７による検出湿度Ｈ２を求め、Ｈ２とＨ１との差Ｈ（＝Ｈ２−Ｈ１）を所定時間（例えば７分）で除して、湿度の上昇速度Ｅを求め、その値Ｅを第１の閾値Ｘおよび第２の閾値Ｙとの関係を調べるようにしているので、湿度の上昇速度Ｅと、第１の閾値Ｘ、第２の閾値Ｙとの関係を容易に判定することができる。したがって、この湿度の上昇速度に応じて、適切な時間に亘って乾燥運転を行うことで、無駄なく適切な乾燥運転を実行することが可能になる。
【００５４】
なお、本発明は、上記実施形態に限定されるものではなく、発明の範囲内において種々の応用、変形を加えることが可能である。
【符号の説明】
【００５５】
１        吸い込み口
２        浴室
３        吹き出し口
５        操作器
９        機器本体（浴室暖房乾燥機本体）
１２      グリル板
１３      熱交換器（温風用熱交換器）（加熱部）
１４      送風機
１４ａ    循環ファン
１４ｂ    換気ファン
１６      熱源機
２７      湿度検出手段（湿度センサ）
２９      演算回路
３１      タイマー表示部（時間表示部）
５１      往き配管
５２      往き配管接続部
６１      戻り配管
６２      戻り配管接続部
Ａ        浴室暖房乾燥機
Ｂ        制御部
ＴＨ１    ミスト温度サーミスタ
ＴＨ２    往き温水温度検出部（暖房温水サーミスタ）
ＴＨ３    浴室温度サーミスタ
【図１】
2018080879.tif 000003
【図２】
2018080879.tif 000004
【図３】
2018080879.tif 000005
【図４】
2018080879.tif 000006
【図５】
2018080879.tif 000007
【図６】
2018080879.tif 000008
【図７】
2018080879.tif 000009